(57)【特許請求の範囲】
【請求項１】
被収納物の少なくとも一部を収納可能な収納空間を有するケース本体と、
上記ケース本体の後端側にヒンジ部を介して回動可能に連結されていて、上記ケース本体を開閉する蓋体と、
上記ケース本体の前端側にヒンジ部を介して回動可能に連結されていて、一方向に回動させることにより、上記ケース本体に対して閉じられた状態になっている上記蓋体の前壁板と重なり合うサイドロック部材と、
上記サイドロック部材を上記蓋体の前壁板に係止する係止手段と
を備えた収納ケースにおいて、
上記サイドロック部材は、上記蓋体の前壁板又は／及びケース本体の前壁板で構成されるケース前壁板の面積内に収まる大きさのフラットなプレート状に形成されているとともに、
上記係止手段は、上記蓋体の前壁板とサイドロック部材の重なり合う面にそれぞれ設けられた係合部と被係合部とで構成され、
上記蓋体は、上記係止手段によって係止された上記サイドロック部材の自由端側の端面を覆い隠す庇状の突出部を備え、
上記庇状の突出部は、上記サイドロック部材の自由端側の端面を上記蓋体の上面側に露出させる切欠部を両側部に有し、
上記係止手段は、上記切欠部の中心よりも内側に偏心された位置に設けられている
ことを特徴とする収納ケース。
【請求項２】
請求項１において、
上記ケース本体は、前壁板及び左右壁部の外側に、上記蓋体を閉じたときに、該蓋体の前壁板及び左右壁部の先端を上記前壁板及び左右壁部の間で挟む起立壁を備えている
ことを特徴とする収納ケース。
【請求項３】
請求項２において、
上記起立壁は、上記前壁板の中央に臨む部分に切欠部を有していて、該切欠部内に上記サイドロック部材が配置されている
ことを特徴とする収納ケース。
【発明の詳細な説明】
【０００１】
【発明の属する技術分野】
本発明は、テープカセット等の記録メディアの保管等に用いる収納ケースに関する。
【０００２】
【従来の技術】
テープカセット、特に放送局等で使用するデジタルビデオテープカセットやデジタルデータ用カセット等を保管する収納ケースとして例えば、図９〜１０に示すものが知られている。
【０００３】
上記収納ケース１０１は、被収納物としてのビデオテープカセット２０１の少なくとも一部を収納可能な収納空間１０２を有するケース本体１０３と、上記ケース本体１０３の後端側に第１，第２のヒンジ部１０４，１０５を介して回動可能に連結されていて、上記ケース本体１０３を開閉する蓋体１０６と、上記ケース本体１０３の前端側に第３のヒンジ部１０７を介して回動可能に連結されていて、一方向に回動させることにより、図１１に示したように上記ケース本体１０３に対して閉じられた状態になっている上記蓋体１０６の前壁板１０６ａ及びケース本体１０３の前壁板１０３ａと重なり合うサイドロック部材１０８と、上記サイドロック部材１０８を上記蓋体１０６の前壁板１０６ａに係止する係止手段１０９とを備えている。
【０００４】
上記サイドロック部材１０８は、上記蓋体１０６の前壁板１０６ａ等に重なり合うプレート状の本体部１０８ａと、該本体部１０８ａの先端側（自由端側）に設けられた第１の折曲部（ロック部）１０８ｂ及び第２の折曲部（ロック解除部）１０８ｃを有している。
【０００５】
上記係止手段１０９は、上記第１の折曲部１０８ｂに設けられた係合部１０９ａと、上記蓋体１０６に設けられた被係合部１０９ｂとからなっている。
【０００６】
そして、上記サイドロック部材１０８を図１１の実線で示した状態から矢印Ａ方向に回動させて、上記蓋体１０６の前壁板１０６ａに重ね合わせた状態にすると、２点鎖線で示したように、上記係合部１０９ａが被係合部１０９ｂに係合して、上記蓋体１０６は閉じられた状態にロックされるとともに、上記第２の折曲部１０８ｃに指先Ｆを掛けるなどして、上記サイドロック部材１０８を矢印Ｂ方向に押圧すれば、上記係合部１０９ａと被係合部１０９ｂの係合が外れて、上記蓋体１０６のロックが解除されるようになっている。
【０００７】
【発明が解決しようとする課題】
ところで、上記従来の収納ケースには次に述べるような問題点があった。
（１）サイドロック部材１０８は、上記蓋体１０６の前壁板１０６ａ等に重なり合うプレート状の本体部１０８ａと、該本体部１０８ａの先端側に設けられた第１，第２の折曲部１０８ｂ，１０８ｃで構成されているために、これを形成するための形成金型が複雑になりコストが高いものになる。
（２）サイドロック部材１０８の第２の折曲部（ロック解除部）１０８ｃが蓋体１０６の上面側に露出した状態になっているために、収納ケースを保持する際に誤って上記第２の折曲部１０８ｃを押圧して、ロックを解除してしまったり、或いは、上記収納ケースを棚等に出し入れする際などに、上記第２の折曲部１０８ｃが棚の一部等に引っ掛かるなどしてロックが解除されてしまうという問題があった。上記のような第２の折曲部１０８ｃが他の部材に引っ掛かるなどしてロックが解除されるのを防止するためには、係合部１０９ａと被係合部１０９ｂの係合力を強くすればよいのであるが、上記係合力を強くすると、今度はロックを解除するのが困難になるという新たな問題が生じる。
【０００８】
本発明は、上記従来の問題点を解決することを目的としてなされたものである。
【０００９】
【課題を解決するための手段】
本発明の収納ケースは、被収納物の少なくとも一部を収納可能な収納空間を有するケース本体と、上記ケース本体の後端側にヒンジ部を介して回動可能に連結されていて、上記ケース本体を開閉する蓋体と、上記ケース本体の前端側にヒンジ部を介して回動可能に連結されていて、一方向に回動させることにより、上記ケース本体に対して閉じられた状態になっている上記蓋体の前壁板と重なり合うサイドロック部材と、上記サイドロック部材を上記蓋体の前壁板に係止する係止手段と、を備えた収納ケースにおいて、
上記サイドロック部材を、上記蓋体の前壁板又は／及びケース本体の前壁板で構成されるケース前壁板の面積内に収まる大きさのフラットなプレート状に形成し、上記係止手段を、上記蓋体の前壁板とサイドロック部材の重なり合う面にそれぞれ設けられた係合部と被係合部とで構成し、上記蓋体に、上記係止手段によって係止された上記サイドロック部材の自由端側の端面を覆い隠す庇状の突出部を設け、上記庇状の突出部に、上記サイドロック部材の自由端側の端面を上記蓋体の上面側に露出させる切欠部を両側部に設け、上記係止手段を、上記切欠部の中心よりも内側に偏心された位置に設けた。
【００１１】
【発明の実施の形態】
図１は本発明の収納ケース１を全開した状態の斜視図、図２は平面図、図３は図２のＡ−Ａ線断面図である。
【００１２】
上記収納ケース１は、被収納物としてのビデオテープカセット２０１の少なくとも一部を収納可能な収納空間２を有するケース本体３と、上記ケース本体３の後端側に第１，第２のヒンジ部４，５を介して回動可能に連結されていて、上記ケース本体３を開閉する蓋体６と、上記ケース本体３の前端側に第３のヒンジ部７を介して回動可能に連結されていて、一方向に回動させることにより、上記ケース本体３に対して閉じられた状態（図５及び図６参照）になっている上記蓋体６の前壁板６ｂと重なり合うサイドロック部材８と、上記サイドロック部材８を上記蓋体６の前壁板６ｂに係止する係止手段９とを備えている。
【００１３】
上記サイドロック部材８は、上記蓋体６の前壁板６ｂの面積内に収まる大きさのフラットなプレート状に形成されている。
【００１４】
上記係止手段９は、上記蓋体６の前壁板６ｂとサイドロック部材８の重なり合う面にそれぞれ設けられた係合部９ａと被係合部９ｂとで構成されている。
【００１５】
図４に示したように、上記蓋体６は、上記係止手段９によって係止された上記サイドロック部材８の自由端側の端面８ａを覆い隠す庇状の突出部１１を備えている。
【００１６】
上記庇状の突出部１１は、上記サイドロック部材８の自由端側の端面８ａを上記蓋体６の上面側に露出させる切欠部１２を両側部に有している。
【００１７】
上記係止手段９は、上記切欠部１２，１２に臨み、かつ、これら切欠部１２，１２の中心ＣＬよりも内側に偏心された位置に設けられている。
【００１８】
図１に示したように、上記ケース本体３は、上記蓋体６を閉じたときに、該蓋体６の前壁板６ｂ及び左右壁板６ｃ，６ｄの先端を上記前壁板３ｂ及び左右壁板３ｃ，３ｄの間で挟む起立壁１３を、前壁板３ｂ及び左右壁板３ｃ，３ｄの外側に備えている
上記起立壁１３は、上記前壁板３ｂの中央に臨む部分に切欠部１４を有していて、該切欠部１４内に上記サイドロック部材８が配置されている。
【００１９】
次に、上記ケース本体３、蓋体６、サイドロック部材８、係止手段９のそれぞれについて詳細に説明する。
【００２０】
上記ケース本体３は、矩形状の底板３ａと、該底板３ａの周辺部に立設された前壁板３ｂと、左右壁板３ｃ，３ｄと、後壁板３ｅとを備えていて、上記前壁板３ｂ、左右壁板３ｃ，３ｄ、後壁板３ｅで囲まれた部分がテープカセット２０１の収納空間２になっている。
【００２１】
上記ケース本体３は、上記底板３ａ上に一対の円筒状の突起２１，２１を有していて、上記収納空間２内にテープカセット２０１を収納すると、該テープカセット２０１の一対のハブ内に上記一対の突起２１，２１が侵入して、上記テープカセット２０１の位置決めを行うようになっている。
【００２２】
図２に示したように、上記前壁板３ｂ、左右壁板３ｃ，３ｄの外周には、蓋体６の前壁板６ａ、左右壁板６ｂ，６ｃの肉厚よりも大きな隙間２２をもって上記起立壁１３が形成されている。
【００２３】
そして、上記起立壁１３の上記前壁板３ｂに対向する部分の中央部に切欠部１４が設けられていて、該切欠部１４に対応する位置に上記第３のヒンジ部７を介してサイドロック部材８が設けられている。
【００２４】
上記ケース本体３の前壁板３ｂの両側部には、次に説明する蓋体６に設けた一対のロック爪２４，２４が係合する爪係合孔２３，２３が設けられている。
【００２５】
上記蓋体６は、矩形状の天板６ａと、該天板６ａの周辺部に立設された前壁板６ｂと、左右壁板６ｃ，６ｄを備えている。上記蓋体６は、閉蓋状態にすると、図４〜図６に示したように上記前壁板６ｂ、左右壁板６ｃ，６ｄが上記ケース本体３の前壁板３ｂ、左右壁板３ｃ，３ｄの外周に重なり合った状態になるとともに、上記前壁板６ｂ、左右壁板６ｃ，６ｄの先端部が上記ケース本体３の前壁板３ｂ、左右壁板３ｃ，３ｄと起立壁１３の間の隙間２２に侵入し、これら前壁板３ｂ、左右壁板３ｃ，３ｄと起立壁１３の間に挟まれた状態になる。
【００２６】
図１に示したように、上記蓋体６の前壁板６ｂの内側の両側部には一対のロック爪２４，２４が設けられている。
【００２７】
上記一対のロック爪２４，２４は、蓋体６を閉じた状態にすると、図５に示したように、上記ケース本体３の前壁板３ｂの両側部に設けた爪係合孔２３，２３に係合して、上記蓋体６を閉蓋状態にロックするようになっている。また、上記蓋体６の前壁板６ｂの外面の両側部には、後に説明するサイドロック部材８の係止手段９を構成する一対の被係合部９ｂ，９ｂが設けられている。
【００２８】
また、上記蓋体６の天板６ａの一側部（前壁板６ｂ側の端部）には、図６に示したように、蓋体６をロックした状態において、サイドロック部材８の自由端側の端面８ａを覆い隠す庇状の突出部１１が設けられているとともに、該庇状の突出部１１の両側部には、上記サイドロック部材８の端面８ａを露出させるための切欠部１２，１２が設けられている。なお、図１に示したように、上記第１のヒンジ部４と第２のヒンジ部５の間には、連結板２５が介在されている。上記連結板２５の両側部には、上記第１のヒンジ部４を介して、上記ケース本体３の起立壁１３に連なる補助起立壁２６が設けられている。
【００２９】
上記起立壁１３と補助起立壁２６の対向する端部は、それぞれ略４５°の傾斜面１３ａ，２６ａになっている。
【００３０】
上記サイドロック部材８は、上述したように上記起立壁１３に設けられた切欠部１４内に位置するように第３のヒンジ部７を介して、上記ケース本体３の一側部に連設されている。
【００３１】
上記サイドロック部材８は、フラットなプレート状に作られていて、図６に示したように、閉蓋状態になっている蓋体６の前壁板６ｂに重ね合わせたときに、上記庇状の突出部１１の下部に収まる高さ（大きさ）Ｈに形成されている。
【００３２】
次に、上記係止手段９について説明する。図１に示したように、上記係止手段９は、上記サイドロック部材８の両側部に設けられた一対の係合部９ａ，９ａと、上記蓋体６の前壁板６ｂの外面に設けられた一対の被係合部９ｂ，９ｂとからなっている。
【００３３】
図５に示したように、上記係合部９ａ，９ａは、係合段部（凹部）９ｃを有する孔を上記サイドロック部材８の両側部に設けることにより形成されている。また、上記被係合部９ｂ，９ｂは、上記蓋体６の前壁板６ｂの外面に、上記係合段部９ｃに係合する被係合段部（凸部）９ｄを有するフック状に突設されている。
【００３４】
そして、図６に示したように、上記サイドロック部材８を上記蓋体６の前壁板６ｂに重ね合わせた状態にすると、上記孔状の係合部９ａに上記フック状の被係合部９ｂが嵌合して、上記係合段部９ｃに被係合段部９ｄが係合して、上記サイドロック部材８を上記蓋体６の前壁板６ｂに重ね合わせたロックするようになっている。なお、上記係止手段９，９は、上記庇状の突出部１１の両側部の切欠部１２，１２に臨む位置で、かつこれら切欠部１２，１２の中心ＣＬよりも内側に偏心した位置に配置されていることは上述の通りである。また、上記収納ケース１は、ポリプロピレン等の合成樹脂によって一体的に形成されている。
【００３５】
次に、上記収納ケース１の作用について説明する。上記ケース本体３の収納空間２にテープカセット２０１を収納して蓋体６を閉じると、図５に示したように、上記蓋体６の前壁板６ｂの内側に設けたロック爪２４が上記ケース本体３の前壁板３ｂに設けた爪係合部２３に係合して、上記蓋体６は閉じられた状態にロックされるとともに、上記蓋体６の前壁板６ｂ又は左右壁板６ｃ，６ｄの下端は、上記ケース本体３の前壁板３ｂ又は左右壁板３ｃ，３ｄと起立壁１３の間の隙間２２に侵入し、これら前壁板３ｂ又は左右壁板３ｃ，３ｄと起立壁１３に挟まれて密閉された状態になる。
【００３６】
蓋体６を閉じた状態にすると、図７に示したように、上記ケース本体３の後壁板３ｅの外側面に、上記ケース本体３と蓋体６を連結している連結板２５が重なり合う（位置する）とともに、上記蓋体６の左右壁板６ｃ，６ｄの一端部は、上記ケース本体３の左右壁板３ｃ，３ｄと上記連結板２５に設けられた補助起立壁２６との間で挟まれて密閉された状態になる。
【００３７】
次に、図６に示したように、上記サイドロック部材８を第３のヒンジ部７で起立させて、上記蓋体６の前壁板６ｂの外側面に重ね合わせれば、該前壁板６ｂの外側面に設けた一対のフック状の被係合部９ｂ，９ｂが上記サイドロック部材８に設けた一対の孔状の係合部９ａ，９ａに嵌合し、これら係合部９ａの係合段部９ｃと被係合部９ｂの被係合段部９ｄとが係合して、上記サイドロック部材８は、蓋体６を閉じた状態にロックする。このとき、上述したように、上記前壁板６ｂ側の起立壁１３の中央部に設けた切欠部１４内に上記サイドロック部材８を配置したので、上記サイドロック部材８を上記蓋体６の前壁板６ｂの外側面に密着させやすくすることができるとともに、上記サイドロック部材８が上記ケース本体３の前壁板６ｂから離れて外側に突出するのを防ぐことができる。
【００３８】
また、上記サイドロック部材８のロックを解除する場合には、図８に示したように、上記蓋体６に設けた庇状の突出部１１の両側部に設けた切欠部１２を通して、指先Ｆ等を上記サイドロック部材８の端面８ａに当てて、これを上記蓋体６の前壁板６ｂから離間する方向に牽引すれば、上記孔状の係合部９ａからフック状の被係合部９ｂが抜け出て、サイドロック部材８は上記係止手段９によるロックを解除された状態になるのである。
【００３９】
上記サイドロック部材８のロックを解除させる場合に、上記切欠部１２の中心ＣＬよりも内側に偏心した位置に上記係止手段９を設けたので、上記サイドロック部材８の端面８ａを牽引した場合に、上記係止手段９を切欠部１２の中心位置に設けた場合よりも、上記牽引位置（力点）と係止手段９の位置（作用点）が離間し、上記サイドロック部材８の上端面８ａを牽引したときに、上記サイドロック部材８が撓みやすいものになり、そのぶんロック解除も容易になる。
【００４０】
【発明の効果】
本発明の収納ケースには次に述べるような効果がある。
（１）請求項１の収納ケースは、サイドロック部材をケース前壁板の面積内に収まるフラットなプレート状に形成したのでサイドロック部材の形成が容易でそのぶんコストを下げることができる。また、サイドロック部材をケース前壁板の外面に重ね合わせれば、こられ重なり合う面にそれぞれ設けられた係止手段の係合部と被係合部が互いに係合してサイドロック部材は蓋体に自ずとロックされた状態になる。また、上記蓋体にロックされた状態のサイドロック部材の上端面を蓋体に設けた庇状の突出部で覆い隠す構成にしたので、上記サイドロック部材の上端面に手や他の物品などが当たることにより、上記サイドロック部材が誤ってロック解除されてしまうというような問題を確実に防止することができる。
また、上記サイドロック部材の上端面を覆い隠す庇状の突出部の両側部に切欠部を設け、該切欠部を介して上記サイドロック部材の上端面の一部を露出させたので、上記切欠部を通して指先等で上記サイドロック部材の上端面を押圧操作して、ロック解除を行うことができる。
また、上記係止手段を、上記切欠部の中心よりも内側に偏心した位置に設けたので、上記サイドロック部材にロック解除力を付与した場合に上記解除力の力点と作用点（係止手段）の位置が離れたものになり、そのぶんサイドロック部材が撓みやすくなり、ロック解除が容易になる。
（２）請求項２の収納ケースは、蓋体を閉じたときに、該蓋体の前壁板及び左右壁板の下端を、ケース本体の前壁板及び左右壁板と、その外側の起立壁との間に挟んで収納ケースの密閉性を向上させることができる。
（３）請求項３の収納ケースは、上記起立壁の一部に切欠部を設け、該切欠部内にサイドロック部材を配置したので、サイドロック部材をケース前壁板により密着させた状態で重ね合わせることができ、且つサイドロック部材が外側に出っ張るのを防止することができる。
【図面の簡単な説明】
【図１】ケースを開いた状態の斜視図。
【図２】平面図。
【図３】図２のＡ−Ａ線断面図。
【図４】サイドロック部材をロックした状態の斜視図。
【図５】蓋体を閉じた状態の断面図。
【図６】サイドロック部材をロックした状態の断面図。
【図７】図４のＡ−Ａ線断面図。
【図８】サイドロック部材の解除方法を示す断面図。
【図９】従来例の斜視図。
【図１０】従来例の斜視図。
【図１１】従来例の断面図。
【符号の説明】
１…収納ケース、２…収納空間、３…ケース本体、４，５…第１，第２のヒンジ部、６…蓋体、７…第３のヒンジ部、８…サイドロック部材、９…係止手段、９ａ…係合部、９ｂ…被係合部、１１…庇状の突出部、１２…切欠部。
【図１】
0004161492.tif 000002
【図２】
0004161492.tif 000003
【図３】
0004161492.tif 000004
【図４】
0004161492.tif 000005
【図５】
0004161492.tif 000006
【図６】
0004161492.tif 000007
【図７】
0004161492.tif 000008
【図８】
0004161492.tif 000009
【図９】
0004161492.tif 000010
【図１０】
0004161492.tif 000011
【図１１】
0004161492.tif 000012